(57)【特許請求の範囲】
【請求項１】
複数の納骨箱を収納棚に収納し、いずれかの納骨箱を参拝ホールに設けられた法要殿の納骨置台に搬送し、この納骨置台の納骨箱を前記収納棚に戻す納骨搬送機構部と、参拝受付機と、前記法要殿に設けられた参拝要求機と、参拝待合いホールに設けられた案内表示器と、管理センターに設けられた統合管理処理部とを備えて、前記参拝受付機、参拝要求機に檀家毎の識別情報を入力させて参拝させる納骨自動参拝システムであって、
前記統合管理処理部は、
前記参拝者毎の参拝日時帯、識別情報及び参拝予約情報を前記納骨箱の番地に対応させて記憶して前記各機を管理する手段と、
前記参拝者から参拝予約日時範囲が入力されると、予め記憶されている他の参拝予定者の前記参拝日時帯と重複しない時間帯を演算し、この重複しない参拝日時帯と前記参拝者の識別情報とを参拝予約情報として記憶する手段と、
前記参拝受付機が前記参拝を受付けると、その参拝予約情報の参拝日時帯に
なったとき、前記参拝者の前記納骨箱の番地を前記納骨搬送機構部に通知する手段と、
前記参拝受付機が前記参拝を受付け、前記参拝予約日時帯に時間が近づくと、該受付した参拝者に対する前記参拝ホールへの移動の案内メッセージを前記案内表示器に表示させる手段と
を備え、
前記参拝受付機は、
前記識別情報の入力に伴って、その識別情報に対応する参拝予約情報を前記統合管理処理部から読込んで表示部に表示する手段と、
前記表示部に表示された参拝予約情報に対しての確認キーが入力されると、参拝を受け付けを前記統合管理処理部に通知する手段と
を備え、
前記参拝ホールの法要殿は、
納骨箱が排出される排出口までの壁を所定の形状で貫通させて、納骨置台を置き、この貫通口を開塞する電動開塞体を設けてなり、
前記参拝要求機は、
前記法要殿毎に設けられ、前記識別情報の入力に伴って、その識別情報が
前記参拝受付機によって受付けられているときは、当該法要殿の電動開塞体に
前記貫通口を開く要求をする手段と、
を備え、
たことを特徴とする納骨自動参拝システム。
【請求項２】
前記参拝受付機は、
前記表示部に表示された参拝予約情報に対しての確認キーが入力されると、参拝を受け付けを前記統合管理処理部に知らせると共に、参拝時間を記載した受付表を出力する手段とを備えたことを特徴とする請求項１に記載の納骨自動参拝システム。
【請求項３】
前記参拝ホールの法要殿は、
照明機を備え、
前記参拝要求機は、
前記電動開塞体が最も上に開いたときは、照明を最大に、また前記電動開塞体
が下降させられたときは、下降に伴って前記照明機の照明を次第に暗くする手段
とを備えたことを特徴とする請求項１又は２に記載の納骨自動参拝システム。
【発明の詳細な説明】
【０００１】
【発明の属する技術分野】
本発明は、非常に多くの納骨箱を収納している集合壇から参拝者の家の納骨箱を自動的に取出して、所定の法要殿に搬送する納骨自動参拝システムに関する。
【０００２】
【従来の技術】
近年都市人口の増加に伴って宅地化が進み、墓地の増設が益々困難になってきた。このようなことから、墓地の値段が高騰して住宅近くに墓地を確保することが困難となり、遠方に墓地を所有せざるを得なかった。
【０００３】
そこで、近年は地表を区分けする墓地の形式に代えて骨壺と位牌等を納めた納骨箱を重ねて配設した集合壇を採用した寺院が数多くなってきた。
【０００４】
このような集合壇は、一般に特定の収納場所設けられ、参拝者は、集合壇と集合壇との間の狭い通路で参拝を行っていた。
【０００５】
【発明が解決しようとする課題】
しかしながら、集合壇は特定の収納場所に配列されているので、参拝者に冷たい印象を与え、精神的な満足感を与えることが難しいという問題点があった。
【０００６】
また、他家の納骨箱が近くにあるので参拝者にとっては気分的にすっきりしないという問題点があった。
【０００７】
また、参拝は集合壇の前の通路で行わせている。このため、彼岸等に多くの参拝者が訪れたときは、通路が非常に混雑して気分良く参拝ができないという問題点があった。
【０００８】
さらに、集合壇は収納場所に複数配列されているので、自家の納骨箱を探すのが困難であるという問題点があった。
【０００９】
本発明は以上の問題点を解決するためになされたもので、非常に多くの納骨箱から参拝者の家の納骨箱を自動的に取出して、自家専用にされた法要殿に自動搬送して気分良く参拝させることができる納骨自動参拝システムを得ることを目的とする。
【００１０】
【課題を解決するための手段】
請求項１は、複数の納骨箱を収納棚に収納し、いずれかの納骨箱を参拝ホールに設けられた法要殿の納骨置台に搬送し、この納骨置台の納骨箱を前記収納棚に戻す納骨搬送機構部と、参拝受付機と、前記法要殿に設けられた参拝要求機と、参拝待合いホールに設けられた案内表示器と、管理センターに設けられた統合管理処理部とを備えて、前記参拝受付機、参拝要求機に檀家毎の識別情報を入力させて参拝させる納骨自動参拝システムである。
【００１１】
前記統合管理処理部は、
前記参拝者毎の参拝日時帯、識別情報及び参拝予約情報を前記納骨箱の番地に対応させて記憶して前記各機を管理する手段と、前記参拝者から参拝予約日時範囲が入力されると、予め記憶されている他の参拝予定者の前記参拝日時帯と重複しない時間帯を演算し、この重複しない参拝日時帯と前記参拝者の識別情報とを参拝予約情報として記憶する手段と、前記参拝受付機が前記参拝を受付けると、その参拝予約情報の参拝日時帯になったとき、前記参拝者の前記納骨箱の番地を前記納骨搬送機構部に通知する手段と、前記参拝受付機が前記参拝を受付け、前記参拝予約日時帯に時間が近づくと、該受付した参拝者に対する前記参拝ホールへの移動の案内メッセージを前記案内表示器に表示させる手段とを備える。
前記参拝受付機は、
前記識別情報の入力に伴って、その識別情報に対応する参拝予約情報を前記統合管理処理部から読込んで表示部に表示する手段と、前記表示部に表示された参拝予約情報に対しての確認キーが入力されると、参拝を受け付けを前記統合管理処理部に通知する手段とを備える。
前記参拝ホールの法要殿は、
納骨箱が排出される排出口までの壁を所定の形状で貫通させて、納骨置台を置き、この貫通口を開塞する電動開塞体を設けてなり、
前記参拝要求機は、
前記法要殿毎に設けられ、前記識別情報の入力に伴って、その識別情報が
前記参拝受付機によって受付けられているときは、当該法要殿の電動開塞体に  前記貫通口を開く要求をする手段と、を備えたことを要旨とする。
【００１２】
請求項２は、前記参拝受付機は、前記表示部に表示された参拝予約情報に対しての確認キーが入力されると、参拝を受け付けを前記統合管理処理部に知らせると共に、参拝時間を記載した受付表を出力する手段とを備えたことを要旨とする。  また、請求項３は、前記参拝ホールの法要殿は、
照明機を備え、前記参拝要求機は、
前記電動開塞体が最も上に開いたときは、照明を最大に、また前記電動開塞体  が下降させられたときは、下降に伴って前記照明機の照明を次第に暗くする手段とを備えたことを要旨とする。
【００１３】
【発明の実施の形態】
図１は本発明の実施の形態の概略構成図である。図１の納骨自動参拝システムは、本システムのコンピュータに登録された人（以下檀家；墓地の有無、宗教にとらわれない）に発行した檀家カード１の挿入に伴って、その檀家カード１のＩＤコード等を読込んで管理センターと通信を行って参拝を受付ける参拝受付機３と、複数の集合壇５の複数のケース６から参拝者の家の納骨箱７を自動的に取出して、所定の参拝ホールの納骨箱搬出口８の納骨置台９に自動搬送する納骨搬送機構部１１とを備えている。この参拝というのは、檀家が後述する本システムの法要殿の納骨箱に参詣することをいう。
【００１４】
また、参拝ホールの納骨箱搬出口８の前方に、上下に動く電動絵画１３を設けて納骨置台９の納骨箱７及びモニュメント１４を見せる法要殿１６と、法要殿１６の近傍に設けられ、参拝に伴う所定のメッセージを表示器１７に表示させ、かつカードリーダ１８への檀家カード１の挿脱に伴って、電動絵画１３を上下動させる参拝要求コントローラ１９等を有する参拝要求機２０とを備えている。
【００１５】
前述の法要殿１６及び参拝要求機２０は、参拝ホール毎に設けれ、また参拝受付機３は総合案内ホール等に複数設けれている。
【００１６】
また、管理センターには、納骨搬送機構部１１と参拝受付機３と参拝要求機２０とをイーサーネットで結んで、参拝受付機３からのデータを読み、そのデータの参拝時間が近づくと参拝者の家の納骨箱７を法要殿１６に搬送させたり、各表示器に所定のメッセージを表示させる統合管理処理部２５とを備えている。
【００１７】
このような納骨自動搬送システムは、図２に示すように、参拝者が檀家カード１を参拝受付機３に挿入すると、檀家カード１のデータが読込まれて統合管理処理部２５と通信が行われて参拝が受付けられ、統合管理処理部２５により、納骨搬送機構部１１にそのデータの家の納骨箱７の座標位置が納骨搬送機構部１１に知らせられる。そして、納骨搬送機構部１１により、所定の参拝ホールの納骨箱搬出口８の納骨置台９に自動搬送され、参拝者が参拝ホールの参拝窓口に設けられているカードリータ１８から檀家カード１を入れて抜くと、電動絵画１３が上に動いて行って、その家の納骨箱７とモニュメントを出現させている。
【００１８】
さらに、参拝前待ち合いホールには、図１及び図２に示すように、参拝時間になった参拝者を参拝ホールに移動させるメッセージを表示させるための数台の案内表示器２７ａ、２７ｂが設けられ、かつ総合待ち合いホールにも数台の案内表示器２９ａ、２９ｂが設けられている。これらの案内表示器はテレビジョンが用いられている。
【００１９】
（各部の構成）
納骨搬送機構部１１は、図１及び図２に示すように、納骨箱７を納めるケース６が複数重ねられて複数配列された集合壇５と、集合壇５毎に設けられたレール（図示せず）に沿ってポール３０を上下動しながら指示された集合壇５の座標位置のケース６内の納骨箱７を取り出して垂直リフターに渡す複数の搬送機３３と、搬送機３３と連結されて参拝ホールに垂直に立てられ、かつ参拝ホールに対応する位置に納骨箱搬出口８が設けられ、搬送機３３からの納骨箱７を垂直に搬送して納骨箱搬出口８の前の納骨台９に置く複数の垂直リフター３５等からなっている。
【００２０】
この搬送機３３と垂直リフター３５とは集合壇５毎に、それぞれ両サイドに設けられている。例えば、参拝ホールが３６カ所で集合壇５が１２列の場合は、両サイドに１２台で合計２４台設けられている。また、いずれかの垂直リフター３５には、納骨箱搬出口８が上下に２つ設けられ、合計で納骨搬出口８が３６個になるようにされている。
【００２１】
また、管理センター内の統合管理処理部２５は、図１に示すように、檀家情報及び複数の集合壇６の檀家毎の納骨箱７の座標位置が登録され、これらの情報のリカバリー及びバックアップ並びにネットワークの障害監視等を行うデータ管理部４０を備えている。
【００２２】
また、参拝者の参拝要求日時範囲が入力されると、その参拝要求日時範囲における予め予約されている他の参拝予定者の参拝日時帯を調べ、これらの参拝日時帯と重複しない所定の時間帯を演算し、その時間帯を参拝者の参拝日時帯として、参拝者のＩＤコードと氏名と共に参拝予約情報として記憶したり、参拝受付機３によって受付けが終了した参拝予約情報を参拝情報として記憶して、各部に送出すると共に各部の管理を行うシステム管理部４１を備えている。
【００２３】
さらに、カードの磁気領域に檀家のＩＤコードを記憶して発行する檀家ＩＤカード発行部４２と、檀家台帳、過去帳等の檀家情報を登録したりする統合檀家管理部４３と、参拝時間が近付いた参拝情報に対応する納骨箱７が収納されている集合壇５のケース６の座標位置を納骨搬送機構部１１に知らせる納骨自動搬送指示部４４とがイーサネートに接続されて設けられている。
【００２４】
また、参拝前待ち合いホールの案内表示器２７ａ、２７ｂに、参拝時間になった参拝者を参拝ホールに移動させるメッセージを送出する参拝ホール表示器制御部５０と、総合待ち合いホールの案内表示器２９ａ、２９ｂに、参拝時間になった参拝者を参拝ホールに移動させる所定のメッセージを送出する総合待ち合いホール表示器制御部５１とを備えている。これらの各部は、パソコンが設けられ、それぞれのパソコンは電源を投入することによって起動する。
【００２５】
檀家ＩＤカード１は、図３に示すように、カードに磁性材料が塗布され、この磁気領域５１に檀家のＩＤコード、寺院名等が書込まれている。
【００２６】
参拝受付機３は、図４に示すように、カード挿入口５５と、カード挿入案内ＬＥＤ５６と、受付け票取出口５７と、受付け票取り出し案内ＬＥＤ５８と、タッチ式操作パネルを備えた表示器５９とを備え、カード挿入口５５に挿入された檀家カード１のＩＤコードを読み、そのＩＤコードに対応する参拝者の予約時間を総合管理処理部２５から読込んで表示器５９に表示する。そして、確認キーが押下されたとき、受付け票取出口５７から後述する受付け票を排出すると共に、その檀家カード１を受けたことを総合管理処理部２５に知らせる。
【００２７】
参拝要求機２０は図５に示すように、参拝ホールの法要殿１６の近傍に設けられている。また、参拝要求機２０の参拝案内用の表示器１７とカードリーダ１８とは壁に取り付けられ、参拝要求コントローラ１９が壁の裏側に設けられている。カードリーダ１８は、カード挿入案内ＬＥＤ６３と、カード挿入口６４とを備え、カード挿入案内ＬＥＤ６３を点滅させて檀家カード１の挿脱を知らせる。
【００２８】
また、檀家カード１が挿入されると、そのカード内部に取り込んでＩＤコードを読込んで参拝要求コントローラ１９に送出した後に、檀家カード１をカード挿入口６４に戻す。
【００２９】
参拝要求コントローラ１９はカードリーダ１８からのＩＤコードと管理センターからのＩＤコードとが一致したとき参拝要求を受付け、檀家カード１が挿脱されたときは、当該法要殿１６の電動絵画１３を上に移動させる制御信号を電動絵画１３の駆動回路（図示せず）に送出して、電動絵画１３を上に移動させる。
【００３０】
また、カードリーダ１８のカード挿入案内ＬＥＤ６３及び参拝受付機３のカード挿入案内ＬＥＤ５６は、挿入可能な時は図６の（ａ）に示すような点灯を繰り返して参拝者に檀家カード１の挿入が必要であることを知らせている。
【００３１】
檀家カード１を排出したときは、カード挿入案内ＬＥＤ６３、参拝受付機３のカード挿入案内ＬＥＤ５６及び受付け票取り出し案内ＬＥＤ５８は、図６の（ｂ）に示すような点滅を繰り返して、参拝者に檀家カード１の抜き取りを知らせて檀家カード１の置き忘れを防止している。
【００３２】
（全体動作の説明）
上記のように構成された納骨自動参拝システムを以下に説明する。図７は納骨自動参拝システムの運用手順を説明する説明図である。図８は図７の運用手順に伴う参拝者の動きを説明する説明図である。
【００３３】
本説明では、予め各檀家には檀家カード１が配布されているとする。そして、参拝者から管理センターに電話があって、「平成７年１１月１５日の１４時３０分ごろ」に参拝に行くことが知らせられると、管理センターのオペレータはシステム管理部４１のコンピュータを操作して、「平成７年１１月１５日の１４時３０分〜１５時」を参拝者の参拝要求日時範囲として入力する。
【００３４】
システム管理部４１は、参拝者の参拝要求日時範囲が入力されると、その日時範囲の予約スケジュール票を参照し、予め予約されている他の参拝予定者の参拝日時帯を調べ、これらの参拝日時帯と重複しない所定の時間帯を参拝者の参拝日時帯として知らせる。例えば、「平成７年１１月１５日、１４時３０分〜１５時」が参拝要求日時範囲として入力され、その参拝要求日時範囲が空いているときは、「平成７年１１月１５日、１４時４０分〜５５分」を適当な参拝時間として知らせる。これで、参拝者から了解がとられると、オペレータは参拝者のＩＤコード氏名と参拝時間帯とを参拝予約情報として登録させている。
【００３５】
さらに、参拝受付機３のカード挿入案内ＬＥＤ５６及び参拝窓口の参拝要求機２０のカード案内ＬＥＤ６３は図６の（ａ）に示すような点灯を繰り返している。また、参拝受付機３の表示器５９は檀家カード１の挿入を促す案内画面を表示し（図７のＳ７００）、参拝要求機２０の表示器１７は参拝準備画面となっている（図７のＳ７０１）。
【００３６】
このような状態にしているとき、参拝者が本寺院に訪れ、受付けホールに置かれている参拝受付機３のカード挿入口５５に挿入すると、参拝受付機３は図７のＳ７０３に示す参拝確認処理を行う。
【００３７】
この参拝確認処理は、参拝受付機３が檀家カード１を内部に取込んで、そのＩＤコードに対応する参拝者の参拝予約情報を総合管理処理部２５のシステム管理部４１から読込んで表示器５９に表示する。
【００３８】
例えば、そのＩＤコードの参拝予約情報の参拝時間が「１４時４０分から１４時５５分」となっている場合は図９に示すような参拝確認画面を表示する。  そして、図９の参拝画面の確認キーが押されると、図７のＳ７０４に示すように受付票排出／カード排出処理を行う。
【００３９】
この受付票／カード排出処理は、受付け票取出口５７から図１０に示す参拝受付票を排出すると共に、受付け票取り出し案内ＬＥＤ５８を図６の（ｂ）に示すように点滅させる。また、カード挿入口５５から檀家カード１を排出すると共に、カード挿入案内ＬＥＤ５６を図６の（ｂ）に示すように点滅させる。
【００４０】
従って、参拝受付票及び檀家カード１のとり忘れを防止できると共に、後で参拝時間を忘れても参拝受付票を見ることによって、参拝時間を再確認させることができる。
【００４１】
また、参拝受付機３は、確認キーが押されると、統合管理処理部２５のシステム管理部４１に予約の参拝者が参拝に訪れたことを知らせる。
【００４２】
システム管理部４１は、参拝受付機３から予約の参拝者が訪れたことが知らせられ、その参拝者の参拝予約情報の参拝時間になると、納骨搬送機構部１１に参拝者の家の納骨箱７を法要殿１６に搬送させるが、本例では、まだ参拝時間にならないとする。
【００４３】
参拝時間まで十分な時間がある場合は、図８に示すように、参拝者は参拝受付票を持って総合待ち合いホールに移動して参拝時間になるまで待つ。
【００４４】
この総合待ち合いホールには、図８に示すように案内表示器２９ａ、２９ｂが設けられている。
【００４５】
そして、システム管理部４１は、受付けが終了した参拝情報の参拝時間近くになると、その参拝者の参拝情報を各部に知らせる。総合待ち合わせホール表示器制御部５１は、参拝情報の氏名、ＩＤコード等を読み、図８に示すように案内表示器２９ａから参拝ホールへの移動を表示及びメッセージを流させる。
【００４６】
また、電話予約をしているのに、参拝受付機３に檀家カード１を挿入しないで、総合ホールで休んでいる参拝者もいる。このため、システム管理部４１は、予約時間になった参拝予約情報があったときは、その参拝予約情報を総合待ち合わせホール表示器制御部５１に出力し、図８に示すように総合待ち合わせホールの案内表示器２９ｂに、その参拝者の受付け促す表示及びメッセージを流させる。
そして時間が経過して、システム管理部４１が参拝時間になった参拝情報を検索したときはデータ管理部４０から参拝者のＩＤコードに対応する集合壇５の納骨箱７が収納されているケース６の座標位置を納骨搬送機構部１１に知らせる。
納骨搬送機構部１１は、図２で説明したように、納骨箱７が納められている集合壇５の搬送機３３がレールに沿ってポール３０を上下動しながら座標位置のケース６内の納骨箱７を取り出して垂直リフター３５に渡して、指示された参拝ホールの納骨箱搬出口８前の納骨台９に置く。
【００４７】
システム管理部４１は納骨台７が納骨台９に置かれると、その納骨箱７の家の参拝の準備ができたことを各部に知らせる。
【００４８】
参拝要求機２０の参拝要求コントローラ１９は、参拝窓口の表示器１７の納骨箱７の家名を表示する。例えば、家名が「山田」の場合は、図１１に示すように表示する。従って、参拝者はこの表示器１７の家名を見て、法要殿１６が間違いなく自家のものにされていることを確認できる。
【００４９】
また、システム管理部４１は、各参拝ホールの状況を参拝ホール表示器５０に知らせて、参拝ホール前待ち合いホールに設けられた案内表示器２７ａ、２７ｂにメッセージで表示している。
【００５０】
そして、参拝ホール前待ち合いホールにいる参拝者が案内表示器２７ａ、２７ｂにより自家の順番であることを知ると、参拝受付票の参拝ホールに進む。
【００５１】
参拝ホールに進むと、参拝要求機２０により、表示器１８はカード挿入案内画面にされている（図７のＳ７０８）。
【００５２】
このカード挿入案内画面は、図１１に示すように家名と檀家カード１挿入要求のメッセージとからなっている。また、カードリーダ１８のカード挿入案内ＬＥＤ６３は参拝要求コントローラ１９によって図６の（ａ）に示すように繰り返し点灯されている。
【００５３】
そして、参拝者が檀家カード１をカード挿入口６４に挿入すると、そのカード内部に取り込んでＩＤコードを読み、参拝要求コントローラ１９に送出した後に、檀家カード１をカード挿入口６４に戻す。
【００５４】
参拝要求コントローラ１９は、檀家カード１が戻されると、カード挿入案内ＬＥＤ６３を図６の（ｂ）に示すように点滅させると共に、表示器１７に檀家カード１の抜き取りメッセージを表示したカード取出案内画面にする（Ｓ７１０）。
また、参拝要求コントローラ１９はカードリーダ１８からのＩＤコードと管理センターからのＩＤコードとが一致したとき参拝要求を受付ける。
【００５５】
そして、檀家カード１が挿脱されたとき、法要殿１６の電動絵画１３を上に移動させる制御信号を電動絵画１３の駆動回路に送出して、電動絵画１３を上に移動させて、図４に示すようにモニュメント１４と納骨箱７を見せる。このとき、法要殿１６の照明は、電動絵画１３が最も上に来たときに照明がマックスになるようにされている（図７のＳ７１２）。
【００５６】
また、参拝要求コントローラ１９は表示器１７に参拝中のメッセージを表示した参拝中画面にする（図７のＳ７１３）。
【００５７】
そして、参拝終了時間になると、参拝要求コントローラ１９は表示器１７を参拝終了画面に切換え（図７のＳ７１４）、法要殿１６の電動絵画１３を下降させる制御信号を電動絵画１３の駆動回路に送出して、電動絵画１３を下降させると共に、照明を次第に暗くしていき、最後は電動絵画１３のみの法要殿１６にする（図７のＳ７１５）。
【００５８】
また、システム管理部４１は、電動絵画１３が下降し終わると、納骨搬送機構部１１に対して収納指示信号を送出する。
【００５９】
納骨搬送機構部１１は収納指示信号が出力されると、納骨台９に置かれている納骨箱７を垂直リフター３５を介して集合壇５に運び、搬送機３３がその納骨箱が納めれる座標位置のケースに収納する。
【００６０】
なお、上記説明では、電話によってのみ参拝予約を行っているが、参拝受付機３に、参拝予約画面を設けて檀家カード１を携帯している参拝者が参拝予約を行うようにしてもよい。
【００６１】
【発明の効果】
以上のように本発明によれば、参拝者がカードを参拝受付機に挿入すると、そのカードの識別情報が予約されていると参拝を受付けて、その家の納骨箱を自動的に集合壇の収納箱から取出して所定の法要殿の貫通穴の納骨置台に搬送する。そして、法要殿近傍に設けられている参拝要求機に、受付けられたカードが挿入されると、電動開塞体が貫通口の塞ぎを解除することにより自家の納骨箱が出現する。
【００６２】
このため、参拝者は集合壇の中から自家の納骨箱を探さなくとも、自家専用にされた法要殿で気分良く参拝することができるという効果が得られている。
【００６３】
また、参拝者の参拝日時帯が入力されると、自動的に他の参拝予定者の参拝日時帯と重ならない日時帯を参拝者の参拝日時帯とするので、彼岸等に多くの参拝者が訪れたとしても、法要殿が足りなくなるということはないという効果が得られている。
【００６４】
また、参拝要求機は、識別情報が参拝受付機によって受付けられているときは、電動開塞体に貫通口を開く要求をすると共に、識別情報に対応する家名を表示するようにしたので、誤って参拝者が他の家の納骨箱を法要殿で参拝することがないという効果が得られている。
【図面の簡単な説明】
【図１】  本発明の実施の形態の概略構成図である。
【図２】  本発明の実施の形態の納骨自動参拝システムの概略作用を説明する説明図である。
【図３】  檀家カードの外観図である。
【図４】  参拝受付機の正面図である。
【図５】  参拝要求機を説明する説明図である。
【図６】  挿入案内用ＬＥＤ及び受付け票排出案内ＬＥＤを説明する説明図である。
【図７】  納骨自動参拝システムの運用手順を説明する説明図である。
【図８】  図７の運用手順に伴う参拝者の動きを説明する説明図である。
【図９】  参拝受付機の参拝確認の画面を説明する説明図である。
【図１０】  参拝受付用を説明する説明図である。
【図１１】  参拝窓口の参拝要求機の参拝画面を説明する説明図である。
【符号の説明】
１  檀家カード
３  参拝受付機
５  集合壇
７  納骨箱
８  納骨箱搬出口
９  納骨置台
１１  納骨搬送機構部
１３  電動絵画
１６  法要殿
２０  参拝要求機
２５  統合管理処理部
【図１】
0003757251.tif 000002
【図２】
0003757251.tif 000003
【図３】
0003757251.tif 000004
【図４】
0003757251.tif 000005
【図５】
0003757251.tif 000006
【図６】
0003757251.tif 000007
【図７】
0003757251.tif 000008
【図８】
0003757251.tif 000009
【図９】
0003757251.tif 000010
【図１０】
0003757251.tif 000011
【図１１】
0003757251.tif 000012